【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
少なくとも１つのエンティティが少なくとも１つの他のエンティティとのコラボレーション用情報交換に参加する際にコンピュータ・システムが使用する方法であって、
前記コラボレーション用情報交換に関連する情報への１つまたは複数のリンクを含むアノテーション・データを取得するステップと、
前記アノテーション・データの少なくとも一部を前記少なくとも１つの他のエンティティに送り、その結果、前記少なくとも１つの他のエンティティが、前記１つまたは複数のリンクのうちの少なくとも１つを選択することによって、前記コラボレーション用情報交換に関連する情報の少なくとも一部へアクセス可能にするステップと
を含む方法。
【請求項２】
前記リンクの選択が、前記少なくとも１つの他のエンティティが必要に応じて前記情報へアクセス可能にする、請求項１に記載の方法。
【請求項３】
前記リンクが、前記アノテーション・データを受け取った時刻と異なる時刻に、前記少なくとも１つの他のエンティティによって選択可能な、請求項１に記載の方法。
【請求項４】
前記少なくとも１つのエンティティと前記少なくとも１つの他のエンティティの間で転送されるメッセージに情報を埋め込むステップをさらに含む、請求項１乃至３のいずれかに記載の方法。
【請求項５】
前記埋め込まれた情報が、ステータス追跡機能を可能にする、請求項４に記載の方法。
【請求項６】
前記埋め込まれた情報の少なくとも一部が、１つまたは複数のエンティティにステータスまたはアクションについて通知するために利用される、請求項４または５に記載の方法。
【請求項７】
前記通知が、アラート・タイプの形をとる、請求項６に記載の方法。
【請求項８】
前記少なくとも１つのエンティティと前記少なくとも１つの他のエンティティの間で交換されるメッセージが、１つまたは複数のメッセージ交換パターンによって管理される、請求項１乃至７のいずれかに記載の方法。
【請求項９】
前記１つまたは複数のメッセージ交換パターンが、コンストラクト又はプリミティブを含む、請求項８に記載の方法。
【請求項１０】
前記１つまたは複数のメッセージ交換パターンが、非構造的情報交換フロー又は非決定的情報交換フローを制御する、請求項８に記載の方法。
【請求項１１】
前記取得するステップが、記憶から前記アノテーション・データを検索するステップをさらに含む、請求項１乃至１０のいずれかに記載の方法。
【請求項１２】
前記取得するステップが、前記アノテーション・データを生成するステップをさらに含む、請求項１乃至１１のいずれかに記載の方法。
【請求項１３】
前記アノテーション・データが、（ｉ）組織的データ・エンティティの指示と、（ｉｉ）連携エンティティの仕様と、（ｉｉｉ）連携エンティティに関係するコンテンツ・タイプの仕様と、（ｉｖ）アクセス制御情報の仕様と、（ｖ）組織的データ・エンティティのための依存情報の仕様と、（ｖｉ）コラボレーション活動を定義するビジネス・コンストラクトのタイプの仕様のうちの１つまたは複数を含む、請求項１乃至１２のいずれかに記載の方法。
【請求項１４】
受信メッセージに埋め込まれた前記アノテーション・データおよびステータス情報の少なくとも一部が、通知される個人または当局を決定するのに使用される、請求項１３に記載の方法。
【請求項１５】
前記コラボレーション用情報交換が、設計コラボレーション・アプリケーションに従って実行される、請求項１乃至１４のいずれかに記載の方法。
【請求項１６】
少なくとも１つの連携エンティティが、前記設計コラボレーション・アプリケーションと通信する、請求項１５に記載の方法。
【請求項１７】
プロジェクト、タスク、および人員割当ての少なくとも１つの変化に基づいて、前記アノテーション・データおよび組織的データの少なくとも一方を修正する、請求項１乃至１６のいずれかに記載の方法。
【請求項１８】
少なくとも１つのエンティティが少なくとも１つの他のエンティティとのコラボレーション用情報交換に参加する際に使用する装置であって、
メモリと、
前記メモリに結合され、（ｉ）前記コラボレーション用情報交換に関連する情報への１つまたは複数のリンクを含むアノテーション・データを取得し、（ｉｉ）前記アノテーショ
ン・データの少なくとも一部を前記少なくとも１つの他のエンティティに送り、その結果、前記少なくとも１つの他のエンティティが、前記１つまたは複数のリンクのうちの少な
くとも１つを選択することによって、前記コラボレーション用情報交換に関連する情報の少なくとも一部にアクセス可能に動作する少なくとも１つのプロセッサとを含む装置。
【請求項１９】
請求項１乃至１７のいずれかに記載の方法をコンピュータに実行させるコンピュータプログラム。
【請求項２０】
１つのエンティティが少なくとも１つの他のエンティティとのコラボレーション用情報交換に参加する際に使用する装置であって、
前記コラボレーション用情報交換に関連する情報への１つまたは複数のリンクを含むアノテーション・データを生成するためのアノテーション・データ生成ツールと、
生成したアノテーション・データを保存するための、前記アノテーション・データ生成ツールに結合されるコラボレーション用ディレクトリと、  前記アノテーション・データを管理し、その結果、前記少なくとも１つの他のエンティティが、前記１つのエンティティからアノテーション・データの少なくとも一部を受け取ったときに、前記１つまたは複数のリンクのうちの少なくとも１つを選択することによって、前記コラボレーション用情報交換に関連する情報の少なくとも一部へアクセス可能にする、前記コラボレーション用ディレクトリに結合されるアノテーション・データ・マネージャと
を含む装置。
【請求項２１】
前記アノテーション・データ・マネージャが、前記１つのエンティティと前記少なくとも１つの他のエンティティの間で発生し得る反復的アクションを表すコラボレーション・パターンに応答する、請求項２０に記載の装置。
【請求項２２】
前記コラボレーション用情報交換に参加する際に使用されるウェブベースのインタフェースをさらに含む、請求項２０または２１に記載の装置。
【請求項２３】
前記コラボレーション用ディレクトリが、複数の組織のコラボレーション用リソースを管理するためのハブとして機能し、それらの組織はビジネス・コラボレーションを実行するための中心場所としてハブを使用する、請求項２０乃至２２に記載の装置。
【請求項２４】
ビジネス・コラボレーション・システムを配備する方法であって、
少なくとも１つのビジネス・コラボレーション・プロセス・テンプレートを定義することと、
少なくとも１組のデータ構造を作成することと、
少なくとも１組のビジネス・コンストラクトの上で動作することができる情報交換用の少
なくとも１つの他の連携エンティティを選択することと、
ビジネス・コンストラクトの選択された組をサポートするためにプロセス・テンプレート
をカスタマイズすることと、
初期のコラボレーション用データ・エンティティを有するビジネス・コンストラクト内で少なくとも１組の活動を生成すること
のうちの１つまたは複数で使用される少なくとも１つのオンデマンド・ビジネス・コラボ
レーション・ハイパーチェーンベース管理装置を配備するステップ
を含む方法。
【請求項２５】
少なくとも１つのエンティティが少なくとも１つの他のエンティティとのコラボレーション用情報交換に参加することを可能にするため、サービス提供業者によってサービスを提供する方法であって、
前記少なくとも１つのエンティティが、
（ｉ）前記コラボレーション用情報交換に関連する情報への１つまたは複数のリンクを含むアノテーション・データを取得し、
（ｉｉ）前記アノテーション・データの少なくとも一部を前記少なくとも１つの他のエンティティに送り、その結果、前記少なくとも１つの他のエンティティが、前記１つまたは
複数のリンクのうちの少なくとも１つを選択することによって、前記コラボレーション用情報交換に関連する情報の少なくとも一部へアクセス可能にするコラボレーション用情報交換システムを配備するステップ
を含む方法。